(57)【要約】【課題】バッテリの取外しを容易にするとともに、バッテリ取付け部を小型化等できるようにする。【解決手段】バッテリ取付け面１１１ａに平行にバッテリ２０を移動させたときに、バッテリ２０を引っ掛けて固定するための係止片１１１ｃと、バッテリ取付け面１１１ａに直交する方向に移動可能に設けられ、バッテリ取付け面１１１ａから飛び出す方向に移動したときに、係止片１１１ｃに対するバッテリ２０の引っ掛かりの外れを阻止するロック片１１３と、ロック片１１３をバッテリ取付け面１１１ａから飛び出す方向に付勢する板バネ１１５と、バッテリ取付け面１１１ａに平行な方向に移動可能に設けられ、ロック片１１３に当接する方向に移動したときに、バッテリ取付け面１１１ａから飛び出したロック片１１３を引っ込める方向に移動させるロック解除スイッチ１１２とを備える。【選択図】図７
2011258444.tif 000002
【特許請求の範囲】
【請求項１】
バッテリを取り付けるためのバッテリ取付け部材と、
前記バッテリ取付け部材に設けられ、前記バッテリ取付け部材のバッテリ取付け面に平行に前記バッテリを移動させたときに、前記バッテリを引っ掛けて固定するための係止片と、
前記バッテリ取付け面に直交する方向に移動可能に設けられ、前記バッテリ取付け面から飛び出す方向に移動したときに、前記係止片に対する前記バッテリの引っ掛かりの外れを阻止するロック片と、
前記ロック片を前記バッテリ取付け面から飛び出す方向に付勢するロック用弾性体と、
前記バッテリ取付け面に平行な方向に移動可能に設けられ、前記ロック片に当接する方向に移動したときに、前記ロック用弾性体の付勢力に反して、前記バッテリ取付け面から飛び出した前記ロック片を引っ込める方向に移動させるロック解除スイッチと
を備える
バッテリロック機構。
【請求項２】
請求項１に記載のバッテリロック機構において、
前記ロック片は、
前記バッテリ取付け面から飛び出す方向に移動したときに、前記係止片に対する前記バッテリの引っ掛かりの外れを阻止するロック部と、
前記ロック部の飛出し方向の先端に設けられた曲面部又は傾斜面部と
を備え、
前記ロック解除スイッチは、前記バッテリ取付け面から飛び出した前記ロック片を引っ込める方向に移動させたときに、前記ロック部を前記バッテリ取付け面から引っ込ませ、前記曲面部又は前記傾斜面部を前記バッテリ取付け面から飛び出した状態で残すように設けられている
バッテリロック機構。
【請求項３】
請求項２に記載のバッテリロック機構において、
前記ロック解除スイッチを前記ロック片に当接させない方向に付勢するロック解除用弾性体と、
前記ロック解除用弾性体の付勢力に反して、前記ロック解除スイッチを移動させ、前記バッテリ取付け面から飛び出した前記ロック片を引っ込める方向に移動させたときに、前記ロック解除スイッチをその移動位置に保持するスイッチ保持部と
を備え、
前記スイッチ保持部は、前記ロック片の前記曲面部又は前記傾斜面部を前記バッテリ取付け面から引っ込ませたときに、前記ロック解除スイッチの保持を解除するように設けられている
バッテリロック機構。
【請求項４】
請求項１に記載のバッテリロック機構において、
前記ロック片の前記ロック解除スイッチとの当接箇所は、曲面又は傾斜面に形成されており、
前記ロック解除スイッチの前記ロック片との当接箇所は、曲面又は傾斜面に形成されいる
バッテリロック機構。
【請求項５】
電子部品を内部に配置した筐体と、
前記筐体にバッテリを取り付けるためのバッテリ取付け部材と、
前記バッテリ取付け部材に設けられ、前記バッテリ取付け部材のバッテリ取付け面に平行に前記バッテリを移動させたときに、前記バッテリを引っ掛けて固定するための係止片と、
前記バッテリ取付け面に直交する方向に移動可能に設けられ、前記バッテリ取付け面から飛び出す方向に移動したときに、前記係止片に対する前記バッテリの引っ掛かりの外れを阻止するロック片と、
前記ロック片を前記バッテリ取付け面から飛び出す方向に付勢するロック用弾性体と、
前記バッテリ取付け面に平行な方向に移動可能に設けられ、前記ロック片に当接する方向に移動したときに、前記ロック用弾性体の付勢力に反して、前記バッテリ取付け面から飛び出した前記ロック片を引っ込める方向に移動させるロック解除スイッチと
を備える
電子機器。
【発明の詳細な説明】
【技術分野】
【０００１】
本発明は、駆動電源であるバッテリを筐体に着脱可能に取り付けるためのバッテリロック機構及び電子機器に関する。
【背景技術】
【０００２】
従来から、ビデオカメラ等の電子機器の筐体にバッテリを取り付けてロックするとともに、そのロックを解除するためのロック解除スイッチを備えたバッテリロック機構が知られている。例えば、ユーザが片手で持つことができる程度の大きさの小型のビデオカメラには、筐体の後部にバッテリを装着するためのバッテリ取付け部材が設けられている。そして、バッテリに形成されたツメをバッテリ取付け部材の係止片に引っ掛けてロックするとともに、ロック解除スイッチによってツメと係止片との引っ掛かりを解除できるようにした技術がある。
【０００３】
図２７は、従来例のバッテリロック機構３１０の構造を示す側面図であり、バッテリ２０のロック状態を示している。
図２８は、従来例のバッテリロック機構３１０の構造を示す平面図であり、バッテリ２０のロック状態を示している。
【０００４】
図２７及び図２８に示すように、従来のバッテリロック機構３１０は、バッテリ２０を取り付けるためのバッテリ取付け部材３１１を備えている。そして、バッテリ取付け部材３１１の上側には、係止壁３１１ａが突設されており、左右両側には、係止壁３１１ｂが突設されている。
【０００５】
また、バッテリ取付け部材３１１の上部には、バネ（図示せず）によって上向きに付勢されたプッシュ式のロック解除スイッチ３１２が設置されている。さらにまた、バッテリ取付け部材３１１には、ロック解除スイッチ３１２の上下動に連動して上下する上向きの連動係止片３１３と、バッテリ取付け部材３１１に固定された固定係止片３１４とが設けられている。
【０００６】
一方、バッテリ２０には、連動係止片３１３及び固定係止片３１４に対応する下向きのツメ２０ａが設けられている。そして、バッテリ２０の上面２０ｂがバッテリ取付け部材３１１の係止壁３１１ａの下側に挿入され、ツメ２０ａが連動係止片３１３及び固定係止片３１４に引っ掛かることで、バッテリ２０のロック状態となる。
【０００７】
ここで、バッテリ２０の落下方向（底面２０ｃに向かう方向）及びバッテリ２０の引抜き方向（背面２０ｅに向かう方向）の動きは、ツメ２０ａと連動係止片３１３及び固定係止片３１４との引っ掛かりによって規制される。また、バッテリ２０の持上げ方向（上面２０ｂに向かう方向）の動きは、係止壁３１１ａによって規制される。さらにまた、バッテリ２０の左右方向（側面２０ｄに向かう方向）の動きは、係止壁３１１ｂによって規制される。したがって、バッテリ２０は、バッテリ取付け部材３１１に固定されることとなる。
次に、従来例のバッテリロック機構３１０におけるバッテリ２０の取外しについて説明する。
【０００８】
図２９は、従来例のバッテリロック機構３１０の構造を示す側面図であり、バッテリ２０のロック解除状態を示している。
図３０は、従来例のバッテリロック機構３１０の構造を示す側面図であり、バッテリ２０の取外し状態を示している。
【０００９】
バッテリ取付け部材３１１からバッテリ２０を取り外すには、最初に、図２９に示すように、ロック解除スイッチ３１２を押し込んで連動係止片３１３を下に向けて移動させ、ツメ２０ａと連動係止片３１３との引っ掛かりを解除する。
なお、図２９に示すロック解除状態では、依然としてツメ２０ａが固定係止片３１４に引っ掛かっており、バッテリ２０が自然に落下することはない。
【００１０】
次に、ロック解除スイッチ３１２を押し込んだ状態のまま、図３０に示すように、バッテリ２０を仮想回転軸の回りに回転させるようにする。これにより、ツメ２０ａが連動係止片３１３をさらに下に向けて移動させるように作用し、バッテリ取付け部材３１１からバッテリ２０を取り外せるようになる。
【先行技術文献】
【特許文献】
【００１１】
【特許文献１】特開２００７−１７３１７９号公報
【発明の概要】
【発明が解決しようとする課題】
【００１２】
しかし、上記の特許文献１の技術では、バッテリ２０の取外しが非常に難しいという問題がある。具体的には、バッテリ２０の持上げ方向（上面２０ｂに向かう方向）の動きが係止壁３１１ａによって規制されているので、バッテリ２０を直線的に移動させて取り外すことができない。そのため、バッテリ２０を仮想回転軸の回りに回転させなければならないが、バッテリ２０の取外し方向となる回転軌跡には、定まったガイドがない。その結果、バッテリ２０の取外しが困難になってしまうのである。
【００１３】
また、複数の連動係止片３１３をすべて移動させる必要があるため、構造が大掛かりになってしまう。さらにまた、バッテリ２０を固定するために、係止壁３１１ａ及び係止壁３１１ｂ（図２８参照）を設けなければならないため、全体として構造が大きくなるという問題がある（特に、係止壁３１１ａ及び係止壁３１１ｂの方向）。さらに、バッテリ２０の取外し方向に対して大きな外力が加わった際に、外力からの逃げ構造を備えることができないため、バッテリ２０が強制的に取り外され、部品が破壊されてしまうおそれもある。
【００１４】
したがって、本発明が解決しようとする課題は、バッテリの取外しを容易にするとともに、バッテリ取付け部を小型化等できるようにすることである。
【課題を解決するための手段】
【００１５】
本発明は、以下の解決手段により、上述の課題を解決する。
請求項１に記載の発明は、バッテリを取り付けるためのバッテリ取付け部材と、前記バッテリ取付け部材に設けられ、前記バッテリ取付け部材のバッテリ取付け面に平行に前記バッテリを移動させたときに、前記バッテリを引っ掛けて固定するための係止片と、前記バッテリ取付け面に直交する方向に移動可能に設けられ、前記バッテリ取付け面から飛び出す方向に移動したときに、前記係止片に対する前記バッテリの引っ掛かりの外れを阻止するロック片と、前記ロック片を前記バッテリ取付け面から飛び出す方向に付勢するロック用弾性体と、前記バッテリ取付け面に平行な方向に移動可能に設けられ、前記ロック片に当接する方向に移動したときに、前記ロック用弾性体の付勢力に反して、前記バッテリ取付け面から飛び出した前記ロック片を引っ込める方向に移動させるロック解除スイッチとを備えるバッテリロック機構である。
また、請求項５に記載の発明は、このようなバッテリロック機構を備える電子機器である。
【００１６】
（作用）
上記の請求項１及び請求項５に記載の発明は、バッテリ取付け部材のバッテリ取付け面に平行にバッテリを移動させたときに、バッテリを引っ掛けて固定するための係止片を備えている。そのため、バッテリは、バッテリ取付け面に平行に、直線的に移動させることにより、取付け及び取外しできる。
【００１７】
また、バッテリは、バッテリ取付け面から飛び出す方向に移動するロック片によってロックされる。そして、飛び出したロック片を引っ込める方向に移動させるロック解除スイッチは、バッテリ取付け面に平行な方向に移動可能に設けられている。そのため、移動量の大きいロック解除スイッチの移動スペースをバッテリ取付け面に沿った配置にすることができる。
【発明の効果】
【００１８】
本発明によれば、バッテリを直線的に移動させて取付け及び取外しできるので、バッテリの取付け及び取外しが容易になる。また、移動量の大きいロック解除スイッチの移動スペースをバッテリ取付け面に沿った配置にすることができるので、スペース効率を向上させることが可能となり、バッテリ取付け部を小型化できる。
【図面の簡単な説明】
【００１９】
【図１】本発明の電子機器の一実施形態としての、ビデオカメラのバッテリ側を示す斜視図である。
【図２】本発明のバッテリロック機構の一実施形態としての、ビデオカメラ用のバッテリロック機構の外観を示す斜視図である。
【図３】本発明のバッテリロック機構の一実施形態としての、ビデオカメラ用のバッテリロック機構の外観を示す斜視図である。
【図４】本発明のバッテリロック機構の一実施形態としての、ビデオカメラ用のバッテリロック機構に取り付けられるバッテリを示す斜視図である。
【図５】本発明のバッテリロック機構の一実施形態としての、ビデオカメラ用のバッテリロック機構におけるバッテリ取付け部分を示す斜視図である。
【図６】本発明のバッテリロック機構の一実施形態としての、ビデオカメラ用のバッテリロック機構におけるバッテリ取付け部分を示す斜視図である。
【図７】本発明のバッテリロック機構の一実施形態（第１の実施の形態）としての、ビデオカメラ用のバッテリロック機構の構造を示す側面図であり、バッテリのロック状態を示している。
【図８】本発明のバッテリロック機構の一実施形態（第１の実施の形態）としての、ビデオカメラ用のバッテリロック機構の構造を示す平面図であり、バッテリのロック状態を示している。
【図９】本発明のバッテリロック機構の一実施形態（第１の実施の形態）としての、ビデオカメラ用のバッテリロック機構を構成するバッテリ取付け部材を示す斜視図である。
【図１０】本発明のバッテリロック機構の一実施形態（第１の実施の形態）としての、ビデオカメラ用のバッテリロック機構を構成するロック解除スイッチを示す斜視図である。
【図１１】本発明のバッテリロック機構の一実施形態（第１の実施の形態）としての、ビデオカメラ用のバッテリロック機構を構成するロック片を示す斜視図である。
【図１２】本発明のバッテリロック機構の一実施形態（第１の実施の形態）としての、ビデオカメラ用のバッテリロック機構において、図９に示すバッテリ取付け部材に、図１０に示すロック解除スイッチ、及び図１１に示すロック片を取り付けた状態を示す斜視図である。
【図１３】本発明のバッテリロック機構の一実施形態（第１の実施の形態）としての、ビデオカメラ用のバッテリロック機構において、図１２に示す状態に、さらに板バネを取り付けてバッテリロック機構とした状態を示す斜視図である。
【図１４】本発明のバッテリロック機構の一実施形態（第１の実施の形態）としての、ビデオカメラ用のバッテリロック機構の主要部を示す側面図であり、バッテリのロック状態を示している。
【図１５】本発明のバッテリロック機構の一実施形態（第１の実施の形態）としての、ビデオカメラ用のバッテリロック機構の構造を示す側面図であり、バッテリのロック解除状態を示している。
【図１６】本発明のバッテリロック機構の一実施形態（第１の実施の形態）としての、ビデオカメラ用のバッテリロック機構の主要部を示す側面図であり、バッテリのロック解除状態を示している。
【図１７】本発明のバッテリロック機構の一実施形態（第１の実施の形態）としての、ビデオカメラ用のバッテリロック機構の構造を示す側面図であり、バッテリの取外し状態を示している。
【図１８】本発明のバッテリロック機構の一実施形態（第１の実施の形態）としての、ビデオカメラ用のバッテリロック機構の主要部を示す側面図であり、バッテリの取外し状態を示している。
【図１９】本発明のバッテリロック機構の一実施形態（第１の実施の形態）としての、ビデオカメラ用のバッテリロック機構におけるバッテリの取外し手順を示すフローチャートである。
【図２０】本発明のバッテリロック機構の一実施形態（第２の実施の形態）としての、ビデオカメラ用のバッテリロック機構の主要部を示す側面図であり、バッテリのロック状態、バッテリのロック解除状態、及びバッテリの取外し状態を示している。
【図２１】本発明のバッテリロック機構の一実施形態としての、ビデオカメラ用のバッテリロック機構の主要部を示す側面図であり、第３の実施の形態、第４の実施の形態、及び第５の実施の形態を示している。
【図２２】本発明のバッテリロック機構の一実施形態（第６の実施の形態）としての、ビデオカメラ用のバッテリロック機構の主要部を示す側面図である。
【図２３】本発明のバッテリロック機構の一実施形態（第６の実施の形態）としての、ビデオカメラ用のバッテリロック機構におけるバッテリの取外し手順を示すフローチャートである。
【図２４】比較例のバッテリロック機構の構造を示す側面図であり、バッテリのロック状態を示している。
【図２５】比較例のバッテリロック機構の構造を示す側面図であり、バッテリのロック解除状態を示している。
【図２６】比較例のバッテリロック機構の構造を示す側面図であり、バッテリの取外し状態を示している。
【図２７】従来例のバッテリロック機構の構造を示す側面図であり、バッテリのロック状態を示している。
【図２８】従来例のバッテリロック機構の構造を示す平面図であり、バッテリのロック状態を示している。
【図２９】従来例のバッテリロック機構の構造を示す側面図であり、バッテリのロック解除状態を示している。
【図３０】従来例のバッテリロック機構の構造を示す側面図であり、バッテリの取外し状態を示している。
【発明を実施するための形態】
【００２０】
以下、図面を参照して、本発明を実施するための形態について説明する。
ここで、本発明における電子機器は、以下の実施の形態では、ビデオカメラ１０であるとする。また、本発明におけるバッテリロック機構は、以下の実施の形態では、ビデオカメラ１０用のバッテリロック機構１１０，１２０，１３０，１４０，１５０，１６０であるとする。
なお、説明は、以下の順序で行う
１．第１の実施の形態（バッテリロック機構：ロック片の構成例）
２．第２の実施の形態（バッテリロック機構：ロック片の構成例）
３．第３の実施の形態（バッテリロック機構：解除スイッチとロック片との組合せ例）
４．第４の実施の形態（バッテリロック機構：解除スイッチとロック片との組合せ例）
５．第５の実施の形態（バッテリロック機構：解除スイッチとロック片との組合せ例）
６．第６の実施の形態（バッテリロック機構：解除スイッチとロック片との組合せ例）
【００２１】
［電子機器の構成例］
図１は、本発明の電子機器の一実施形態としての、ビデオカメラ１０のバッテリ側を示す斜視図である。
図２は、本発明のバッテリロック機構の一実施形態としての、ビデオカメラ１０用のバッテリロック機構１１０の外観を示す斜視図である。
図３は、本発明のバッテリロック機構の一実施形態としての、ビデオカメラ１０用のバッテリロック機構１１０の外観を示す斜視図である。
【００２２】
図１に示すように、ビデオカメラ１０は、電子部品を内部に配置した筐体１１を備えており、筐体１１の前部には、複数のレンズを備える円筒状のレンズ鏡筒１２が取り付けられている。そして、筐体１１の内部であって、レンズ鏡筒１２の各レンズの光軸上には、撮影を行うための電子部品として、ＣＣＤ（Charge Coupled Device Image Sensor）イメージセンサやＣＭＯＳ（Complementary Metal Oxide Semiconductor ）イメージセンサ等の撮像素子が配置されている。そのため、レンズ鏡筒１２を介して入力される被写体の光学的な画像は、撮像素子で電気信号に変換され、メモリカード等に記憶される。
【００２３】
また、筐体１１の一方の側面には、表示装置１３が筐体１１に対して開閉可能に取り付けられている。この表示装置１３は、液晶ディスプレイや有機ＥＬディスプレイ等から構成されており、開いた状態で、撮影中の画像やメモリカードに記憶された画像等を表示できる。
なお、表示装置１３は、表示されている機能やその他の操作を実行できるように、タッチパネル機能を有している。
【００２４】
さらにまた、筐体１１の上部には、レンズ鏡筒１２内のレンズを移動させてズーム動作を可能とするためのズームレバー１４と、静止画を撮影するための静止画撮影ボタン１５とが配置されている。一方、動画を撮影するための動画撮影ボタン１６は、筐体１１の後部に配置されており、筐体１１の後部には、ビデオカメラ１０の駆動電源となるバッテリ２０が着脱可能に取り付けられている。
【００２５】
したがって、ビデオカメラ１０は、バッテリ２０から撮像素子や表示装置１３等に電源が供給され、レンズ鏡筒１２を介して入力された被写体の光学的な画像が撮像素子で電気信号に変換されて、表示装置１３に表示される。そして、ズームレバー１４を操作して被写体を所望の大きさとし、動画撮影ボタン１６や静止画撮影ボタン１５を操作して撮影を行う。
【００２６】
また、電気を消耗したバッテリ２０は、図１に示すように、指でつまんで筐体１１から取り外し、充電することができる。具体的には、筐体１１の後部には、図２及び図３に示すバッテリロック機構１１０が設けられている。このバッテリロック機構１１０は、バッテリ取付け部材１１１及びロック解除スイッチ１１２を備えており、バッテリ取付け部材１１１にバッテリ２０が取り付けられ、ロックされる。そして、ロック解除スイッチ１１２によってロックを解除すれば、バッテリ２０を指でつまんでバッテリ取付け部材１１１から取り外せるようになる。
なお、バッテリ取付け部材１１１は、筐体１１に取り付ける別部材として構成することも、筐体１１の一部として筐体１１と一体的に構成することもできる。
【００２７】
図４は、本発明のバッテリロック機構の一実施形態としての、ビデオカメラ１０用のバッテリロック機構１１０に取り付けられるバッテリ２０を示す斜視図である。
図５は、本発明のバッテリロック機構の一実施形態としての、ビデオカメラ１０用のバッテリロック機構１１０におけるバッテリ取付け部分を示す斜視図である。
図６は、本発明のバッテリロック機構の一実施形態としての、ビデオカメラ１０用のバッテリロック機構１１０におけるバッテリ取付け部分を示す斜視図である。
【００２８】
図４に示すように、バッテリ２０の取付け側には、両端部にそれぞれ３つ（合計６つ）のツメ２０ａが予め備わっている。一方、図５及び図６に示すように、バッテリ取付け部材１１１には、バッテリ取付け面１１１ａの両端部に係止壁１１１ｂが設けられている。そして、各係止壁１１１ｂには、バッテリ２０の各ツメ２０ａに対応するように、それぞれ３つ（合計６つ）の係止片１１１ｃが設けられている。そのため、各係止片１１１ｃの横の開口部に各ツメ２０ａを挿入し、各係止片１１１ｃに向けてバッテリ２０をバッテリ取付け面１１１ａに平行に移動させれば、各ツメ２０ａが各係止片１１１ｃに引っ掛かり、バッテリ２０が固定される。
【００２９】
ここで、バッテリ取付け部材１１１に固定されたバッテリ２０（係止片１１１ｃに引っ掛かったツメ２０ａ）が撮影者の意図に反して外れないように、ロック片１１３が設けられている。このロック片１１３は、バッテリ取付け面１１１ａから突出し、ツメ２０ａの動きを規制する。そのため、バッテリ２０の固定状態が保持されるようにツメ２０ａがロックされることとなる。また、ロック片１１３は、ロック解除スイッチ１１２の操作によって引っ込むようになっている。したがって、ロック解除スイッチ１１２を操作すれば、バッテリ２０のロックを解除できる。
【００３０】
＜１．第１の実施の形態＞
［バッテリロック機構の構成例］
図７は、本発明のバッテリロック機構の一実施形態（第１の実施の形態）としての、ビデオカメラ１０用のバッテリロック機構１１０の構造を示す側面図であり、バッテリ２０のロック状態を示している。
図８は、本発明のバッテリロック機構の一実施形態（第１の実施の形態）としての、ビデオカメラ１０用のバッテリロック機構１１０の構造を示す平面図であり、バッテリ２０のロック状態を示している。
【００３１】
図７に示すように、第１の実施の形態のバッテリロック機構１１０は、バッテリ２０を取り付けるためのバッテリ取付け部材１１１を備えている。そして、バッテリ取付け部材１１１には、３つの係止片１１１ｃが設けられている。さらに、図８に示すように、バッテリ２０の側面２０ｄの両側は、係止壁１１１ｂによって囲まれるようになっている。
【００３２】
また、バッテリ取付け部材１１１の一端部には、バッテリ取付け面１１１ａに平行な方向（図７では上下方向）に移動可能なロック解除スイッチ１１２が設置されている。さらにまた、ロック解除スイッチ１１２の上部には、バッテリ取付け面１１１ａに直交する方向（図７では左右方向）に移動可能なロック片１１３が設置されている。
【００３３】
このロック解除スイッチ１１２は、コイルバネ１１４（本発明におけるロック解除用弾性体に相当）により、ロック片１１３に当接させない方向（図７では下向き）に付勢されている。また、ロック片１１３は、ロック解除スイッチ１１２の上下動に連動して左右に移動し、バッテリ取付け面１１１ａにリブ１１３ａ（本発明におけるロック部に相当）を出し入れできるようになっている。さらにまた、ロック片１１３は、板バネ１１５（本発明におけるロック用弾性体に相当）により、バッテリ取付け面１１１ａからリブ１１３ａが飛び出す方向に付勢されている。
【００３４】
一方、バッテリ２０には、下向きの係止片１１１ｃに対応する上向きのツメ２０ａが設けられている。そして、係止片１１１ｃにツメ２０ａが引っ掛かった状態で、リブ１１３ａがツメ２０ａの下に飛び出すことで、バッテリ２０のロック状態となる。具体的には、最初に、ツメ２０ａをリブ１１３ａに当接させ、板バネ１１５の付勢に反してリブ１１３ａを押し込む。その後、リブ１１３ａを押し込んだ状態で、バッテリ２０を上向きに移動させ、係止片１１１ｃにツメ２０ａを引っ掛ける。係止片１１１ｃとツメ２０ａとが完全に引っ掛かった状態になると、板バネ１１５の付勢によってリブ１１３ａがツメ２０ａの下に飛び出し、バッテリ２０がロックされる。
【００３５】
ここで、バッテリ２０の落下方向（底面２０ｃに向かう方向）の動きは、リブ１１３ａによるツメ２０ａの下支えによって規制される。また、バッテリ２０の引抜き方向（背面２０ｅに向かう方向）及びバッテリ２０の持上げ方向（上面２０ｂに向かう方向）の動きは、ツメ２０ａと係止片１１１ｃとの引っ掛かりによって規制される。そのため、ツメ２０ａは、２方向を規制する役割を担う。さらにまた、バッテリ２０の左右方向（側面２０ｄに向かう方向）の動きは、係止壁１１１ｂによって規制される。これにより、バッテリ２０は、バッテリ取付け部材１１１に固定されることとなる。
なお、リブ１１３ａによって下支えされるツメ２０ａは、バッテリ２０に予め備わっていればどれでもよい（第１の実施の形態のバッテリロック機構１１０では中段のツメ２０ａを採用）。
【００３６】
図９は、本発明のバッテリロック機構の一実施形態（第１の実施の形態）としての、ビデオカメラ１０用のバッテリロック機構１１０を構成するバッテリ取付け部材１１１を示す斜視図である。
図１０は、本発明のバッテリロック機構の一実施形態（第１の実施の形態）としての、ビデオカメラ１０用のバッテリロック機構１１０を構成するロック解除スイッチ１１２を示す斜視図である。
図１１は、本発明のバッテリロック機構の一実施形態（第１の実施の形態）としての、ビデオカメラ１０用のバッテリロック機構１１０を構成するロック片１１３を示す斜視図である。
【００３７】
図９に示すように、バッテリ取付け部材１１１には、形状の異なる４つのガイドリブ１１１ｄ，１１１ｅ，１１１ｆ，１１１ｇが設けられている。そして、ガイドリブ１１１ｄとガイドリブ１１１ｅとの間は、コイルバネ１１４（図７参照）を配置するためのスペースとなっている。さらに、ガイドリブ１１１ｆ，１１１ｇに囲まれた範囲には、ガイドリブ１１１ｇに沿って、ロック用開口１１１ｈが形成されている。
【００３８】
また、図１０に示すように、ロック解除スイッチ１１２には、長さの異なる２つのガイド溝１１２ａ，１１２ｂが設けられている。そして、ガイド溝１１２ａとガイド溝１１２ｂの間には、ボス１１２ｃが設けられており、ボス１１２ｃの反対側には、スイッチ部１１２ｄが形成されている。さらに、ガイド溝１１２ａの先には、傾斜面１１２ｅが形成されている。
【００３９】
さらにまた、図１１に示すように、ロック片１１３には、リブ１１３ａが設けられており、リブ１１３ａの長さ方向の端面は、曲面１１３ｂ（本発明における曲面部に相当）となっている。さらに、ロック片１１３には、向きの異なる２つのガイド穴１１３ｃ，１１３ｄが形成されており、ガイド穴１１３ｄの先は、傾斜面１１３ｅとなっている。
【００４０】
図１２は、本発明のバッテリロック機構の一実施形態（第１の実施の形態）としての、ビデオカメラ１０用のバッテリロック機構１１０において、図９に示すバッテリ取付け部材１１１に、図１０に示すロック解除スイッチ１１２、及び図１１に示すロック片１１３を取り付けた状態を示す斜視図である。
図１３は、本発明のバッテリロック機構の一実施形態（第１の実施の形態）としての、ビデオカメラ１０用のバッテリロック機構１１０において、図１２に示す状態に、さらに板バネ１１５を取り付けてバッテリロック機構１１０とした状態を示す斜視図である。
図１４は、本発明のバッテリロック機構の一実施形態（第１の実施の形態）としての、ビデオカメラ１０用のバッテリロック機構１１０の主要部を示す側面図であり、バッテリ２０のロック状態を示している。
【００４１】
図１２に示すように、バッテリ取付け部材１１１にロック解除スイッチ１１２を取り付けるには、バッテリ取付け部材１１１のガイドリブ１１１ｄ，１１１ｅ（図９参照）にロック解除スイッチ１１２のガイド溝１１２ａ，１１２ｂ（図１０参照）を嵌め込む。そして、ボス１１２ｃ（図１０参照）にコイルバネ１１４の一端部を挿入して取り付ける。そのため、ロック解除スイッチ１１２は、スイッチ部１１２ｄ（図１０参照）がバッテリ取付け部材１１１から飛び出すように付勢されるとともに、ガイドリブ１１１ｄ，１１１ｅに沿って一定の範囲内を移動できるようになる。これにより、ロック解除スイッチ１１２は、プッシュ式のスイッチとして機能する。
【００４２】
また、バッテリ取付け部材１１１にロック片１１３を取り付けるには、バッテリ取付け部材１１１のガイドリブ１１１ｆ，１１１ｇにロック片１１３のガイド穴１１２ｃ，１１２ｄ（図１１参照）を嵌め込む。同時に、バッテリ取付け部材１１１のロック用開口１１１ｈ（図９参照）にロック片１１３のリブ１１３ａ（図１１参照）を挿入する。そして、図１４の下図に示すように、ロック解除スイッチ１１２の傾斜面１１２ｅの上にロック片１１３の傾斜面１１３ｅを重ね合わせる。
【００４３】
したがって、ロック片１１３は、ガイドリブ１１１ｆ，１１１ｇ（図１２参照）に沿って、ロック解除スイッチ１１２の移動方向と直交する方向に移動できるようになる。具体的には、コイルバネ１１４（図１２参照）の付勢力に反して、ロック解除スイッチ１１２をバッテリ取付け部材１１１の内部に向けて押し込む。これにより、ロック解除スイッチ１１２の傾斜面１１２ｅ（図１４参照）がロック片１１３の傾斜面１１３ｅ（図１４参照）を押し上げるように作用する。その結果、ロック片１１３は、バッテリ２０（図１４参照）から離れる方向に移動することとなる。
【００４４】
ここで、図１３に示すように、バッテリ取付け部材１１１には、さらに板バネ１１５が取り付けられる。板バネ１１５は、バッテリ取付け部材１１１にフレーム部１１５ａを固定することによって取り付けられる。このフレーム部１１５ａは、構造上の補強や電気的なＧＮＤ接続用途で必要であり、例えば、フレーム部１１５ａにネジ穴を設けてバッテリ取付け部材１１１側からネジ止めされる。
なお、フレーム部１１５ａの固定は、逆に、バッテリ取付け部材１１１にネジ穴を設けてフレーム部１１５ａ側からネジ止めしてもよく、お互いに嵌まり合うツメ等の嵌合構造を用いてもよい。
【００４５】
また、フレーム部１１５ａの固定によって板バネ１１５がロック片１１３に当接し、ガイドリブ１１１ｆ，１１１ｇからロック片１１３が不用意に外れることが防止される。さらにまた、板バネ１１５は、バッテリ取付け部材１１１のロック用開口１１１ｈ（図９参照）からリブ１１３ａ（図１４参照）が飛び出すようにロック片１１３を付勢する。さらに、カバー部１１５ｂにより、ロック解除スイッチ１１２及びコイルバネ１１４（図１２参照）が外れることが防止される。
【００４６】
このように、第１の実施の形態のバッテリロック機構１１０は、バッテリ取付け部材１１１、ロック解除スイッチ１１２、ロック片１１３、コイルバネ１１４、及び板バネ１１５によって構成されている。そして、図１４に示すように、ロック片１１３により、係止片１１１ｃに対するバッテリ２０の引っ掛かりの外れが阻止される。言いかえれば、バッテリ取付け部材１１１の係止片１１１ｃとロック片１１３のリブ１１３ａとによってバッテリ２０のツメ２０ａを挟み込むことで、バッテリ２０がロックされた状態となる。
【００４７】
また、ロック片１１３は、板バネ１１５によって常にバッテリ２０に向けて付勢されている。そのため、ロック片１１３が静止位置で止まる前にツメ２０ａに当接するようにすれば、図１４に示すバッテリ２０のロック状態において、バッテリ２０の引抜き方向（図１４では左右方向）のがたつきを抑制できる。
なお、ロックされたバッテリ２０は、ロック解除スイッチ１１２の操作によって簡単に取り外すことができる。
【００４８】
図１５は、本発明のバッテリロック機構の一実施形態（第１の実施の形態）としての、ビデオカメラ１０用のバッテリロック機構１１０の構造を示す側面図であり、バッテリ２０のロック解除状態を示している。
図１６は、本発明のバッテリロック機構の一実施形態（第１の実施の形態）としての、ビデオカメラ１０用のバッテリロック機構１１０の主要部を示す側面図であり、バッテリ２０のロック解除状態を示している。
【００４９】
バッテリ２０のロック状態を解除するには、図１５に示すように、バッテリ取付け部材１１１のバッテリ取付け面１１１ａに平行に（図１５及び図１６では上方に）ロック解除スイッチ１１２を押し込む。この際、ロック解除スイッチ１１２は、コイルバネ１１４の付勢力及び板バネ１１５の付勢力に反して押し込む必要がある。これにより、ロック解除スイッチ１１２の傾斜面１１２ｅ（図１６下図参照）がロック片１１３の傾斜面１１３ｅ（図１６下図参照）を押すように作用する。
【００５０】
ここで、ロック解除スイッチ１１２を押した力のベクトルは、ロック片１１３の傾斜面１１３ｅによって分散される。そのため、ロック片１１３は、ロック解除スイッチ１１２の移動方向（バッテリ取付け面１１１ａに平行な方向、図１５及び図１６では上方向）と直交する方向（バッテリ取付け面１１１ａに直交する方向、図１５及び図１６では左方向）に移動する。その結果、バッテリ２０のツメ２０ａが係止片１１１ｃから抜け出さないように飛び出ていたリブ１１３ａが引っ込むようになる。
【００５１】
ただし、このロック解除状態では、リブ１１３ａは、完全には引っ込まない。具体的には、ロック解除スイッチ１１２の傾斜面１１２ｅ（図１６下図参照）がロック片１１３の傾斜面１１３ｅ（図１６下図参照）を押し切ると、ロック片１１３の下に傾斜面１１２ｅが潜り込むようになる。そして、バッテリ取付け部材１１１のバッテリ取付け面１１１ａからロック片１１３のリブ１１３ａの曲面１１３ｂ（図１６上図参照）だけが飛び出した状態となる。その結果、バッテリ２０のツメ２０ａとリブ１１３ａの曲面１１３ｂとが当接するようになる。
【００５２】
このように、バッテリロック機構１１０は、ロック解除スイッチ１１２を最後まで押し込み、バッテリ取付け面１１１ａから飛び出したロック片１１３を引っ込める方向に移動させたときに、リブ１１３ａをバッテリ取付け面１１１ａから引っ込ませる。そして、曲面１１３ｂ（図１６上図参照）だけをバッテリ取付け面１１１ａから飛び出させた状態で残す。
【００５３】
したがって、リブ１１３ａによるバッテリ２０の完全なロックは解除されるが、ツメ２０ａとロック片１１３との間には、依然として曲面１１３ｂの分だけ引っ掛け量が残っている。そのため、バッテリ２０のツメ２０ａがバッテリ取付け部材１１１の係止片１１１ｃに引っ掛かった状態で維持される。これにより、バッテリ２０の自然落下が防止され、バッテリ２０が不用意に外れてしまうことがなくなる。その結果、安全性に優れたバッテリロック機構１１０が実現されることとなる。また、このような自然落下防止機能は、ロック片１１３の形状調整だけで実現されているため、１つのロック片１１３だけの少ない部品点数及び組立て工数で、ロック機能と自然落下防止機能とを兼用できるようになっている。
【００５４】
図１７は、本発明のバッテリロック機構の一実施形態（第１の実施の形態）としての、ビデオカメラ１０用のバッテリロック機構１１０の構造を示す側面図であり、バッテリ２０の取外し状態を示している。
図１８は、本発明のバッテリロック機構の一実施形態（第１の実施の形態）としての、ビデオカメラ１０用のバッテリロック機構１１０の主要部を示す側面図であり、バッテリ２０の取外し状態を示している。
【００５５】
バッテリ２０を取り外すには、図１７に示すように、ロック解除スイッチ１１２を押した状態を保ったままでバッテリ２０に外力を加え、バッテリ取付け部材１１１のバッテリ取付け面１１１ａに平行に（図１７及び図１８では下方に）バッテリ２０を移動させる。これにより、バッテリ２０のツメ２０ａがロック片１１３のリブ１１３ａの曲面１１３ｂ（図１８上図参照）を押し、この力の作用点における力のベクトルの分散によってリブ１１３ａが押し込まれる。具体的には、力のベクトルがツメ２０ａと曲面１１３ｂとの接点における接線の法線方向となり、その分散された力がリブ１１３ａを押し込む方向に作用する。その結果、リブ１１３ａは、バッテリ取付け面１１１ａの内側にさらに引っ込むこととなる。そして、この状態では、バッテリ２０を係止するものが何もなくなる。したがって、ロック状態が完全に解消され、バッテリ取付け部材１１１からバッテリ２０を完全に取り外すことができるようになる。
【００５６】
逆に、バッテリ２０の取付けに際しては、バッテリ取付け面１１１ａから突出していたリブ１１３ａをバッテリ２０のツメ２０ａで押し込んで図１７及び図１８に示す状態とする。その後、バッテリ取付け面１１１ａに平行に（図１７及び図１８では上方に）バッテリ２０を移動させ、ツメ２０ａを係止片１１１ｃに突き当てる。これにより、板バネ１１５によって付勢されているロック片１１３がバッテリ取付け面１１１ａから飛び出して図７及び図１４に示す状態に自然に復帰し、ロックが自動的に完了する。
なお、ロック片１１３がバッテリ取付け面１１１ａから飛び出すときの力は、ロック解除スイッチ１１２に伝わらない。そのため、バッテリ２０の取付け動作によってロック解除スイッチ１１２が動くことはない。
【００５７】
図１９は、本発明のバッテリロック機構の一実施形態（第１の実施の形態）としての、ビデオカメラ１０用のバッテリロック機構１１０におけるバッテリ２０の取外し手順を示すフローチャートである。
【００５８】
図１９に示すように、バッテリ２０の取外し手順の最初のステップＳ１１では、ロック解除スイッチ１１２を押す。このロック解除スイッチ１１２は、一定の範囲内を移動できるように設けられており、バッテリ２０を取り外すには、最後までロック解除スイッチ１１２が押し込まれる必要がある。したがって、次のステップＳ１２においては、ロック解除スイッチ１１２が行き止まりまで押された状態にならなければ、その次のステップＳ１３に進まない。
【００５９】
ロック解除スイッチ１１２が行き止まりまで押されると、ステップＳ１３において、ロック片１１３によるバッテリ２０のロックが解除される。ただし、ステップＳ１３の段階では、図１８に示すように、バッテリ２０のツメ２０ａとリブ１１３ａの曲面１１３ｂとが当接している。そのため、バッテリ２０の自重による自然落下が防止されることとなる。そして、次のステップＳ１４で、バッテリ２０を手で持って移動させることにより、リブ１１３ａがバッテリ取付け面１１１ａの内側に引っ込む。したがって、ステップＳ１５では、ロック片１１３によるバッテリ２０のロックが完全に外れ、最後のステップＳ１６において、バッテリ２０が安全に取り外されることとなる。
【００６０】
また、本発明のバッテリロック機構１１０は、図１７に示すように、ロック解除スイッチ１１２の動作方向とロック片１１３の動作方向とが直交するように構成されているので、ロック解除スイッチ１１２の動作領域が狭くなり、ビデオカメラ１０を小型化できる。
次に、ビデオカメラ１０の小型化が可能である点に関し、本発明のバッテリロック機構１１０に対する比較例に基づいて説明する。
【００６１】
図２４は、比較例のバッテリロック機構２１０の構造を示す側面図であり、バッテリ２０のロック状態を示している。
図２５は、比較例のバッテリロック機構２１０の構造を示す側面図であり、バッテリ２０のロック解除状態を示している。
図２６は、比較例のバッテリロック機構２１０の構造を示す側面図であり、バッテリ２０の取外し状態を示している。
【００６２】
図２４に示すように、比較例のバッテリロック機構２１０のバッテリ取付け部材２１１には、複数の固定係止片２１１ａが設けられている。そして、バッテリ２０の各ツメ２０ａを各固定係止片２１１ａに引っ掛けるとともに、バッテリ２０の底面２０ｃをロックスイッチ２１２で下支えすることによってバッテリ２０をロックする。
なお、ロックスイッチ２１２は、ロックバネ２１３により、バッテリ２０の底面２０ｃ側に飛び出すように付勢されている。また、バッテリ取付け部材２１１には、ロック状態のツメ２０ａに当接する可動係止片２１４も設けられている。
【００６３】
このような比較例のバッテリロック機構２１０において、ロックバネ２１３の付勢に反してロックスイッチ２１２を押し込むと、図２５に示すロック解除状態となる。ロック解除状態のバッテリ２０では、係止バネ２１５によって付勢された可動係止片２１４により、最下段のツメ２０ａのみが支えられる。そのため、ロックを解除しても、バッテリ２０の自然落下が防止されている。
【００６４】
続いて、このロック解除状態（ロックスイッチ２１２を押し込んだ状態）からバッテリ２０を取り外すには、バッテリ２０を取外し方向（図２５では下方）に、バッテリ２０の自重よりも大きい力で移動させる。これにより、図２６に示すように、可動係止片２１４がバッテリ取付け部材２１１の内部に押し込まれ、バッテリ２０の取外し状態となる。したがって、図２６等に示す比較例のバッテリロック機構２１０によれば、図３０等に示す従来例のバッテリロック機構３１０のように、バッテリ２０を回転させることなく取り外すことができる。
【００６５】
しかし、比較例のバッテリロック機構２１０は、ロックスイッチ２１２を押し込んだときの逃げ構造やロックバネ２１３の存在により、バッテリ取付け部材２１１と直交する方向の必要領域が広くなってしまう。そのため、スペース効率が悪く、小型化にも不向きな構造となる。
【００６６】
一方、図１７等に示す本発明のバッテリロック機構１１０は、ロック解除スイッチ１１２の動作方向がバッテリ取付け部材２１１と平行する方向であるので、スペース効率が向上し、小型化にも有利な構造となっている。また、図３０等に示す従来例のバッテリロック機構３１０のように、複数の連動係止片３１３を動作させて係止する場合と比較しても、構成が簡略化され、小型化を促進できる。
【００６７】
＜２．第２の実施の形態＞
［バッテリロック機構の構成例］
図２０は、本発明のバッテリロック機構の一実施形態（第２の実施の形態）としての、ビデオカメラ１０用のバッテリロック機構１２０の主要部を示す側面図であり、バッテリ２０のロック状態、バッテリ２０のロック解除状態、及びバッテリ２０の取外し状態を示している。
【００６８】
図２０に示すように、第２の実施の形態のバッテリロック機構１２０は、ロック片１２３のリブ１２３ａの先端側に傾斜面１２３ｂが形成され、傾斜面１２３ｂの先端側にさらに急傾斜の傾斜面１２３ｃ（本発明における傾斜部に相当）が形成されている。ここで、傾斜面１２３ｃは、図２０の中図に示すように、バッテリ２０のロック解除状態でツメ２０ａに当接する。そのため、図１５に示す第１の実施の形態のバッテリロック機構１１０におけるバッテリ２０のロック解除状態と同様に、バッテリ２０の自然落下を防止する。そして、バッテリ２０に外力を加え、バッテリ取付け部材１２１に平行に（図２０では下方に）バッテリ２０を移動させれば、図２０の下図に示すように、ツメ２０ａによってロック片１２３がバッテリ取付け部材１２１の内部に押し込まれ、バッテリ２０の取外し状態となる。
【００６９】
このように、第２の実施の形態のバッテリロック機構１２０は、バッテリ２０のロック解除状態から取外し状態にかけては、第１の実施の形態のバッテリロック機構１１０（図１５参照）と同様に機能し、曲面１１３ｂ（図１６参照）を傾斜面１２３ｃに変えて形状を簡略化している。
【００７０】
しかし、第２の実施の形態のバッテリロック機構１２０では、傾斜面１２３ｂも形成されている。この傾斜面１２３ｂは、バッテリ２０に大きな外力が作用した際に、ツメ２０ａやリブ１２３ａの破壊を防止する。具体的には、バッテリ２０に大きな外力が加わり、図２０の上図に示す状態にあるツメ２０ａによって傾斜面１２３ｂが押されると、傾斜面１２３ｂの傾斜分だけ力のベクトルが分散され、リブ１２３ａがバッテリ取付け部材１２１の内部に押し込まれる。そのため、ロック状態が強制的に解除され、図２０の中図に示す状態となる。その結果、大きい荷重や衝撃による破壊から逃れることができるようになるのである。
なお、傾斜面１２３ｂの傾斜角やロック片１２３を付勢するロック解除用弾性体（図７に示す第１の実施の形態のバッテリロック機構１１０におけるコイルバネ１１４に相当）の付勢力は、バッテリ２０をロックするための本来の機能を十分果たし、かつツメ２０ａやリブ１２３ａの破壊を防止できるように調整されている。
【００７１】
＜３．第３〜５の実施の形態＞
［バッテリロック機構の構成例］
図２１は、本発明のバッテリロック機構の一実施形態としての、ビデオカメラ１０用のバッテリロック機構１３０，１４０，１５０の主要部を示す側面図であり、第３の実施の形態、第４の実施の形態、及び第５の実施の形態を示している。
【００７２】
図２１に示すように、第３の実施の形態のバッテリロック機構１３０は、ロック解除スイッチ１３２のロック片１３３との当接箇所を曲面１３２ａとし、ロック片１３３のロック解除スイッチ１３２との当接箇所を傾斜面１３３ａとしている。
また、第４の実施の形態のバッテリロック機構１４０は、ロック解除スイッチ１４２のロック片１４３との当接箇所を曲面１４２ａとし、ロック片１４３のロック解除スイッチ１４２との当接箇所も曲面１４３ａとしている。
さらにまた、第５の実施の形態のバッテリロック機構１５０は、ロック解除スイッチ１５２のロック片１５３との当接箇所を傾斜面１５２ａとし、ロック片１５３のロック解除スイッチ１５２との当接箇所を曲面１５３ａとしている。
【００７３】
このように、ロック解除スイッチ１３２，１４２，１５２とロック片１３３，１４３，１５３との当接箇所は、ロック片１３３等の移動方向をロック解除スイッチ１３２等の移動方向と直交する方向に変換できれば、各種の形状を組み合わせることができる。
なお、第１の実施の形態のバッテリロック機構１１０（図７参照）では、傾斜面同士の当接としている。
【００７４】
＜４．第６の実施の形態＞
［バッテリロック機構の構成例］
図２２は、本発明のバッテリロック機構の一実施形態（第６の実施の形態）としての、ビデオカメラ１０用のバッテリロック機構１６０の主要部を示す側面図である。
図２３は、本発明のバッテリロック機構の一実施形態（第６の実施の形態）としての、ビデオカメラ１０用のバッテリロック機構１６０におけるバッテリ２０の取外し手順を示すフローチャートである。
【００７５】
図２２及び図２３に示す第６の実施の形態のバッテリロック機構１６０は、バッテリ２０の取外し動作を容易した構造である。具体的には、近年のビデオカメラ１０（図１参照）の小型化に伴い、ロック解除スイッチ１６２も小型化され、配置される位置も制約を受けるようになっている。そのため、ロック解除スイッチ１６２に指を掛けた状態でバッテリ２０の取外し動作を行うと、その指が邪魔になってバッテリ２０の取外しが困難になる傾向がある。
【００７６】
そこで、第６の実施の形態のバッテリロック機構１６０では、ロック解除スイッチ１６２を行き止まりまで押し込むと、その位置でロック解除スイッチ１６２が静止する構造となっている。具体的には、第６の実施の形態のバッテリロック機構１６０は、ロック解除スイッチ１６２をロック片１６３に当接させない方向（図２２では下向き）に付勢するロック解除用弾性体（図７に示す第１の実施の形態のバッテリロック機構１１０におけるコイルバネ１１４に相当）を備えている。また、ロック解除用弾性体の付勢力に反して、ロック解除スイッチ１６２を移動させ、バッテリ取付け面から飛び出したロック片１６３を引っ込める方向に移動させたときに、ロック解除スイッチ１６２をその移動位置に保持するスイッチ保持部を備えている。
【００７７】
このスイッチ保持部は、ロック片１６３の曲面部（図１８に示す第１の実施の形態のバッテリロック機構１１０における曲面１１３ｂに相当）をバッテリ取付け面から引っ込ませたときに、ロック解除スイッチ１６２の保持を解除するように設けられている。具体的には、スイッチ保持部は、図２２に示すように、ロック解除スイッチ１６２の山部１６２ｂ及び谷部１６２ｃ、ロック片１６３の山部１６３ｂ及び谷部１６３ｃによって構成されている。そのため、山部１６２ｂと谷部１６３ｃ、谷部１６２ｃと山部１６３ｂとが嵌まり合うことにより（図２２下図参照）、ロック解除スイッチ１６２から指を離した状態でバッテリ２０の取外し動作ができるようになる。
【００７８】
バッテリ２０の取外し手順としては、図２３に示すように、最初のステップＳ２１でロック解除スイッチ１６２を押す。このロック解除スイッチ１６２は、一定の範囲内を移動できるように設けられており、バッテリ２０を取り外すには、最後までロック解除スイッチ１６２が押し込まれる必要がある。したがって、次のステップＳ２２においては、ロック解除スイッチ１６２が行き止まりまで押された状態にならなければ、その次のステップＳ２３に進まない。
【００７９】
このようなステップＳ２１及びＳ２２を図２２に基づいて説明すると、ステップＳ２１でロック解除スイッチ１６２を押せば（図２２上図の上向き矢印参照）、ロック解除スイッチ１６２の傾斜面１６２ａとロック片１６３の傾斜面１６２ａとの作用により、ロック片１６３が持ち上げられながら移動する（図２２上図の左向き矢印参照）。ここで、ロック片１６３は、ロック用弾性体（図７に示す第１の実施の形態のバッテリロック機構１１０における板バネ１１５に相当）によってロック解除スイッチ１６２に向かう方向に付勢されている（図２２中図の右向き矢印参照）。そのため、図２２上図の状態から図２２中図を経て図２２下図の状態に至り、山部１６２ｂと谷部１６３ｃ、谷部１６２ｃと山部１６３ｂとが嵌まり合ってロック解除スイッチ１６２が行き止まりまで押された状態となる（ステップＳ２２）。
【００８０】
ロック解除スイッチ１６２が行き止まりまで押されると、ステップＳ２３において、ロック片１６３によるバッテリ２０のロックが解除される。また、ロック用弾性体の付勢力（図２２中図の右向き矢印の大きさ）は、ロック片１６３の山部１６３ｂの傾斜面から山部１６２ｂの傾斜面を通してロック解除スイッチ１６２を上向きに付勢する力に変換される。そして、この上向きの付勢力は、ロック解除用弾性体の付勢力（図２２下図の下向き矢印の大きさ）よりも強く設定されている。そのため、ロック解除スイッチ１６２を押していた指を離しても、ロック解除スイッチ１６２は、押される前の位置に戻らない。
なお、ロック用弾性体の付勢力とロック解除用弾性体の付勢力との関係は、両者の付勢力の調整の他、山部１６２ｂや山部１６３ｂの形状によっても調整できる。
【００８１】
したがって、ステップＳ２４では、ロック解除スイッチ１６２から指を離した状態で、バッテリ２０を手で持って移動させることができる。これにより、ロック片１６３は、バッテリ２０によってバッテリ取付け面の内側に引っ込む方向に押され（図２２下図の左向き矢印参照）、距離Ｌよりも大きく移動する。その結果、ステップＳ２５では、ロック片１６３によるバッテリ２０のロックが完全に外れ、ステップＳ２６において、バッテリ２０が安全に取り外されることとなる。
【００８２】
また、バッテリ取付け面の内側に引っ込むロック片１６３は、距離Ｌよりも大きく移動するように設定されているので、山部１６２ｂと谷部１６３ｃ、谷部１６２ｃと山部１６３ｂとの嵌合が外れる。その結果、ステップＳ２７において、ロック解除用弾性体（図７に示す第１の実施の形態のバッテリロック機構１１０におけるコイルバネ１１４に相当）によって付勢されたロック解除スイッチ１６２が元の位置（図２２上図の状態）に戻ることとなる。
【００８３】
以上、本発明の実施形態について説明したが、本発明は、上述した実施形態に限定されることなく、以下のような種々の変形が可能である。例えば、
（１）実施形態では、電子機器として、ビデオカメラ１０を例に挙げて説明したが、これに限らず、デジタルカメラ、携帯電話、ノート型パソコン、携帯型のゲーム機等の各種の電子機器にも適用できる。
【００８４】
（２）実施形態では、ロック用弾性体を板バネ１１５としているが、コイルバネを使用したり、バッテリ取付け部材に一体的に形成した梁等の弾性体を利用するようにしてもよい。また、実施形態では、ロック解除スイッチ１１２及びロック片１１３をバッテリ取付け部材１１１に嵌め込んで移動方向を規制しているが、両者の移動方向は、別部材を設ける等して規制してもよい。
【符号の説明】
【００８５】
１０  ビデオカメラ（電子機器）
２０  バッテリ
１１０  バッテリロック機構
１１１  バッテリ取付け部材
１１１ａ  バッテリ取付け面
１１１ｃ  係止片
１１２  ロック解除スイッチ
１１３  ロック片
１１３ａ  リブ（ロック部）
１１３ｂ  曲面（曲面部）
１１４  コイルバネ（ロック解除用弾性体）
１１５  板バネ（ロック用弾性体）
１２０  バッテリロック機構
１２１  バッテリ取付け部材
１２３  ロック片
１２３ａ  リブ（ロック部）
１２３ｃ  傾斜面（傾斜面部）
１３０  バッテリロック機構
１３２  ロック解除スイッチ
１３２ａ  曲面
１３３  ロック片
１３３ａ  傾斜面
１４０  バッテリロック機構
１４２  ロック解除スイッチ
１４２ａ  曲面
１４３  ロック片
１４３ａ  曲面
１５０  バッテリロック機構
１５２  ロック解除スイッチ
１５２ａ  傾斜面
１５３  ロック片
１５３ａ  曲面
１６０  バッテリロック機構
１６２  ロック解除スイッチ
１６２ｂ  山部（スイッチ保持部）
１６２ｃ  谷部（スイッチ保持部）
１６３  ロック片
１６３ｂ  山部（スイッチ保持部）
１６３ｃ  谷部（スイッチ保持部）
【図１】
2011258444.tif 000003
【図２】
2011258444.tif 000004
【図３】
2011258444.tif 000005
【図４】
2011258444.tif 000006
【図５】
2011258444.tif 000007
【図６】
2011258444.tif 000008
【図７】
2011258444.tif 000009
【図８】
2011258444.tif 000010
【図９】
2011258444.tif 000011
【図１０】
2011258444.tif 000012
【図１１】
2011258444.tif 000013
【図１２】
2011258444.tif 000014
【図１３】
2011258444.tif 000015
【図１４】
2011258444.tif 000016
【図１５】
2011258444.tif 000017
【図１６】
2011258444.tif 000018
【図１７】
2011258444.tif 000019
【図１８】
2011258444.tif 000020
【図１９】
2011258444.tif 000021
【図２０】
2011258444.tif 000022
【図２１】
2011258444.tif 000023
【図２２】
2011258444.tif 000024
【図２３】
2011258444.tif 000025
【図２４】
2011258444.tif 000026
【図２５】
2011258444.tif 000027
【図２６】
2011258444.tif 000028
【図２７】
2011258444.tif 000029
【図２８】
2011258444.tif 000030
【図２９】
2011258444.tif 000031
【図３０】
2011258444.tif 000032